(57)【要約】  本発明は、ピクチャ処理方法、送信方法、処理装置及び送信装置を提供し、このピクチャ処理方法は、端末がこの端末中の第１のピクチャに表示された所定の画像を抽出するステップと、この端末が第２のピクチャを取得するステップと、この端末が上記の所定の画像及び第２のピクチャを１枚のピクチャに合成するステップと、を含む。本発明によれば、従来技術に存在するピクチャ背景のランダム交換を実現できない問題を解決し、ピクチャ背景をランダムに交換する効果に達した。【選択図】図１
2018518086.tif 000002
【特許請求の範囲】
【請求項１】
端末が前記端末中の第１のピクチャに表示された所定の画像を抽出するステップと、
前記端末が第２のピクチャを取得するステップと、
前記端末が前記所定の画像及び前記第２のピクチャを１枚のピクチャに合成するステップと、を含む
ピクチャ処理方法。
【請求項２】
前記端末が前記第２のピクチャを取得するステップは、
前記端末が要求メッセージを第１のサーバに送信し、ここで、前記要求メッセージは、前記第１のサーバに記憶されたピクチャの取得を要求するためのものであるステップと、
前記端末が前記第１のサーバの送信した１枚又は複数枚のピクチャを受信し、ここで、前記１枚又は複数枚のピクチャは、前記第１のサーバが所定のポリシーに従って選択したピクチャであるステップと、
前記端末が前記１枚又は複数枚のピクチャから前記第２のピクチャを取得するステップと、を含む
請求項１に記載の方法。
【請求項３】
前記端末が前記要求メッセージを前記第１のサーバに送信した後、
前記端末が前記第１のサーバの送信した前記１枚又は複数枚のピクチャの提供者情報を受信するステップと、
前記端末が前記１枚又は複数枚のピクチャの提供者情報に基づいて前記１枚又は複数枚のピクチャの提供者と通信を行うステップと、をさらに含む
請求項２に記載の方法。
【請求項４】
前記端末が前記要求メッセージを前記第１のサーバに送信するステップは、
前記端末が、前記端末の運動速度及び／又は加速度が所定の閾値を超えると特定した後に、前記要求メッセージを前記第１のサーバに送信するステップと、
前記端末が、所定のスライド軌跡を満足するタッチ信号を受信した後に、前記要求メッセージを前記第１のサーバに送信するステップと、のうちの少なくとも１つを含む
請求項２に記載の方法。
【請求項５】
前記所定のポリシーは、前記端末が前記要求メッセージを送信する時間情報と、前記端末の位置情報と、前記端末に記録された使用者の個人情報と、前記端末が選択した地域情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも１つを含む
請求項２に記載の方法。
【請求項６】
前記１枚又は複数枚のピクチャの提供者の情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも１つをさらに含む
請求項３に記載の方法。
【請求項７】
前記端末が前記１枚又は複数枚のピクチャの提供者情報に基づいて前記１枚又は複数枚のピクチャの提供者と通信を行うステップは、
前記端末がソーシャル関連付けを確立するための操作インタフェースを表示するステップと、
前記端末が、前記操作インタフェースをクリックする信号を受信した後に、通信要求メッセージを通信接続を確立するための第２のサーバに送信し、ここで、前記通信要求メッセージは、前記１枚又は複数枚のピクチャの提供者との間の通信接続の確立を要求するためのものであるステップと、
前記通信接続の確立が完了した後に、前記端末と前記１枚又は複数枚のピクチャの提供者が通信を行うステップと、を含む
請求項３に記載の方法。
【請求項８】
前記端末が通信要求メッセージを通信接続を確立するための第２のサーバに送信するステップは、
前記端末が前記第１のサーバを介して前記通信要求メッセージを前記第２のサーバに送信するステップを含む
請求項７に記載の方法。
【請求項９】
第１のサーバが端末の送信した要求メッセージを受信し、ここで、前記要求メッセージは、前記第１のサーバに記憶されたピクチャを取得するためのものであり、前記第１のサーバに記憶されたピクチャは、前記端末中の第１のピクチャに表示された所定の画像と合成を行うためのものであるステップと、
前記第１のサーバが記憶されたピクチャから１枚又は複数枚のピクチャを選択するステップと、
前記第１のサーバが選択した前記ピクチャを前記端末に送信するステップと、を含む
ピクチャ送信方法。
【請求項１０】
前記第１のサーバが記憶されたピクチャから１枚又は複数枚のピクチャを選択するステップは、
前記第１のサーバが所定のポリシーに従って記憶されたピクチャから１枚又は複数枚のピクチャを選択するステップを含み、ここで、前記所定のポリシーは、前記端末が前記要求メッセージを送信する時間情報と、前記端末の位置情報と、前記端末に記録された使用者の個人情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも1つを含む
請求項９に記載の方法。
【請求項１１】
前記第１のサーバが記憶されたピクチャから１枚又は複数枚のピクチャを選択した後、
前記第１のサーバが選択した前記１枚又は複数枚のピクチャの提供者情報を前記端末に送信するステップをさらに含む
請求項９に記載の方法。
【請求項１２】
前記１枚又は複数枚のピクチャの提供者情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも1つをさらに含む
請求項１１に記載の方法。
【請求項１３】
前記第１のサーバが選択した前記１枚又は複数枚のピクチャの提供者情報を前記端末に送信した後、
前記第１のサーバが前記端末の送信した通信要求メッセージを受信し、ここで、前記通信要求メッセージは、前記端末と前記１枚又は複数枚のピクチャの提供者情報に対応する提供者との間の通信接続の確立を要求するためのものであるステップと、
前記第１のサーバが前記通信要求メッセージを通信接続を確立するための第２のサーバに送信するステップと、をさらに含む
請求項１１に記載の方法。
【請求項１４】
端末に用いられるピクチャ処理装置であって、
前記端末中の第１のピクチャに表示された所定の画像を抽出する抽出モジュールと、
第２のピクチャを取得する取得モジュールと、
前記所定の画像及び前記第２のピクチャを１枚のピクチャに合成する合成モジュールと、を備える
ピクチャ処理装置。
【請求項１５】
前記取得モジュールは、
要求メッセージを第１のサーバに送信し、ここで、前記要求メッセージは、前記第１のサーバに記憶されたピクチャの取得を要求するためのものである送信ユニットと、
前記第１のサーバの送信した１枚又は複数枚のピクチャを受信し、ここで、前記１枚又は複数枚のピクチャは、前記第１のサーバが所定のポリシーに従って選択したピクチャである第１の受信ユニットと、
前記１枚又は複数枚のピクチャから前記第２のピクチャを取得する取得ユニットと、を備える
請求項１４に記載の装置。
【請求項１６】
前記第１のサーバの送信した前記１枚又は複数枚のピクチャの提供者情報を受信する第２の受信ユニットと、
前記１枚又は複数枚のピクチャの提供者情報に基づいて前記１枚又は複数枚のピクチャの提供者と通信を行う通信ユニットと、をさらに備える
請求項１５に記載の装置。
【請求項１７】
前記送信ユニットは、
前記端末の運動速度及び／又は加速度が所定の閾値を超えると特定した後に、前記要求メッセージを前記第１のサーバに送信することと、
所定のスライド軌跡を満足するタッチ信号を受信した後に、前記要求メッセージを前記第１のサーバに送信することと、のうちの少なくとも１つを含む
請求項１５に記載の装置。
【請求項１８】
前記所定のポリシーは、前記端末が前記要求メッセージを送信する時間情報と、前記端末の位置情報と、前記端末に記録された使用者の個人情報と、前記端末が選択した地域情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも１つを含む
請求項１５に記載の装置。
【請求項１９】
前記１枚又は複数枚のピクチャの提供者の情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも１つをさらに含む
請求項１６に記載の装置。
【請求項２０】
前記通信ユニットは、
ソーシャル関連付けを確立するための操作インタフェースを表示する表示サブユニットと、
前記操作インタフェースをクリックする信号を受信した後に、通信要求メッセージを通信接続を確立するための第２のサーバに送信し、ここで、前記通信要求メッセージは、前記１枚又は複数枚のピクチャの提供者との間の通信接続の確立を要求するためのものである送信サブユニットと、
前記通信接続の確立が完了した後に、前記１枚又は複数枚のピクチャの提供者と通信を行う通信サブユニットと、を備える
請求項１６に記載の装置。
【請求項２１】
前記送信サブユニットは、
前記第１のサーバを介して前記通信要求メッセージを前記第２のサーバに送信する
請求項２０に記載の装置。
【請求項２２】
第１のサーバに用いられるピクチャ送信装置であって、
端末の送信した要求メッセージを受信し、ここで、前記要求メッセージは、前記第１のサーバに記憶されたピクチャを取得するためのものであり、前記第１のサーバに記憶されたピクチャは、前記端末中の第１のピクチャに表示された所定の画像と合成を行うためのものである第１の受信モジュールと、
記憶されたピクチャから１枚又は複数枚のピクチャを選択する選択モジュールと、
選択した前記ピクチャを前記端末に送信する第１の送信モジュールと、を備える
ピクチャ送信装置。
【請求項２３】
前記選択モジュールは、所定のポリシーに従って記憶されたピクチャから１枚又は複数枚のピクチャを選択し、ここで、前記所定のポリシーは、前記端末が前記要求メッセージを送信する時間情報と、前記端末の位置情報と、前記端末に記録された使用者の個人情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも１つを含む
請求項２２に記載の装置。
【請求項２４】
選択した前記１枚又は複数枚のピクチャの提供者情報を前記端末に送信する第２の送信モジュールをさらに備える
請求項２２に記載の装置。
【請求項２５】
前記１枚又は複数枚のピクチャの提供者情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも１つをさらに含む
請求項２４に記載の装置。
【請求項２６】
前記端末の送信した通信要求メッセージを受信し、ここで、前記通信要求メッセージは、前記端末と前記１枚又は複数枚のピクチャの提供者情報に対応する提供者との間の通信接続の確立を要求するためのものである第２の受信モジュールと、
前記通信要求メッセージを通信接続を確立するための第２のサーバに送信する第３の送信モジュールと、をさらに備える
請求項２４に記載の装置。
【発明の詳細な説明】
【技術分野】
【０００１】
本発明は、通信分野に関し、具体的には、ピクチャ処理方法、送信方法、処理装置及び送信装置に関する。
【背景技術】
【０００２】
モバイル端末のカメラは、よく使用される機能であり、端末の使用体験の不断の発展に伴い、カメラの各種の新機能もますます多く開発されている。特に、人物画像及び背景を認識する方面において、既に相当な蓄積及び応用を持っている。
【０００３】
ここで、画像処理技術に基づく顔認識及び笑顔認識機能は、既に背景映像から人の顔を効果的に分離でき、さらに、図形形態学に基づいて、撮影対象全体を背景映像から分離できる。一方、モバイル端末に基づく二眼立体視撮影もだんだん商品化されており、デュアルカメラに基づく撮影は、デュアルカメラにおける近景と遠景との差異によって、さらに、近景における人物を遠景と便利に区分することができる。
【０００４】
これから分かるように、従来技術では、シングルカメラ撮影であろうが、デュアルカメラ撮影であろうが、いずれも人物と背景を効果的に分離することを実現できる。
【０００５】
しかし、モバイル端末のソーシャル及び娯楽化の発展に伴い、自撮り機能がますます多くの低年齢層のユーザにより使用される機能の一つになっており、自撮り機能を使用するユーザは、特定の娯楽効果に達するように、自分の映像を他の異なる背景と組み合わせることを希望する場合がある。同時に、あるユーザは、自分の撮影したある映像又はピクチャをアップロードして、他人の自撮り背景とすることを希望する。また、この２つのタイプのユーザの間にソーシャル及びコミュニケーションの要求が存在することを予見できる。しかし、従来技術では、ピクチャ背景をランダムに交換する方法が存在しない。
【０００６】
従来技術に存在するピクチャ背景のランダム交換を実現できない問題に対して、現在有効な解決策が提示されていない。
【発明の概要】
【発明が解決しようとする課題】
【０００７】
本発明は、少なくとも従来技術に存在するピクチャ背景のランダム交換を実現できない問題を解決するために、ピクチャ処理方法、送信方法、処理装置及び送信装置を提供する。
【課題を解決するための手段】
【０００８】
本発明の一態様によれば、ピクチャ処理方法が提供され、前記方法は、端末が前記端末中の第１のピクチャに表示された所定の画像を抽出するステップと、前記端末が第２のピクチャを取得するステップと、前記端末が前記所定の画像及び前記第２のピクチャを１枚のピクチャに合成するステップと、を含む。
【０００９】
選択的に、前記端末が前記第２のピクチャを取得するステップは、前記端末が要求メッセージを第１のサーバに送信し、ここで、前記要求メッセージは、前記第１のサーバに記憶されたピクチャの取得を要求するためのものであるステップと、前記端末が前記第１のサーバの送信した１枚又は複数枚のピクチャを受信し、ここで、前記１枚又は複数枚のピクチャは、前記第１のサーバが所定のポリシーに従って選択したピクチャであるステップと、前記端末が前記１枚又は複数枚のピクチャから前記第２のピクチャを取得するステップと、を含む。
【００１０】
選択的に、前記端末が前記要求メッセージを前記第１のサーバに送信した後、前記方法は、前記端末が前記第１のサーバの送信した前記１枚又は複数枚のピクチャの提供者情報を受信するステップと、前記端末が前記１枚又は複数枚のピクチャの提供者情報に基づいて前記１枚又は複数枚のピクチャの提供者と通信を行うステップと、をさらに含む。
【００１１】
選択的に、前記端末が前記要求メッセージを前記第１のサーバに送信するステップは、前記端末が、前記端末の運動速度及び／又は加速度が所定の閾値を超えると特定した後に、前記要求メッセージを前記第１のサーバに送信するステップと、前記端末が、所定のスライド軌跡を満足するタッチ信号を受信した後に、前記要求メッセージを前記第１のサーバに送信するステップと、のうちの少なくとも１つを含む。
【００１２】
選択的に、前記所定のポリシーは、前記端末が、前記要求メッセージの時間情報と、前記端末の位置情報と、前記端末に記録された使用者の個人情報と、前記端末が選択した地域情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも１つを送信するステップを含む。
【００１３】
選択的に、前記１枚又は複数枚のピクチャの提供者の情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも１つをさらに含む。
【００１４】
選択的に、前記端末が前記１枚又は複数枚のピクチャの提供者情報に基づいて前記１枚又は複数枚のピクチャの提供者と通信を行うステップは、前記端末がソーシャル関連付けを確立するための操作インタフェースを表示するステップと、前記端末が、前記操作インタフェースをクリックする信号を受信した後に、通信要求メッセージを通信接続を確立するための第２のサーバに送信し、ここで、前記通信要求メッセージは、前記１枚又は複数枚のピクチャの提供者との間の通信接続の確立を要求するためのものであるステップと、前記通信接続の確立が完了した後に、前記端末と前記１枚又は複数枚のピクチャの提供者が通信を行うステップと、を含む。
【００１５】
選択的に、前記端末が通信要求メッセージを通信接続を確立するための第２のサーバに送信するステップは、前記端末が前記第１のサーバを介して前記通信要求メッセージを前記第２のサーバに送信するステップを含む。
【００１６】
本発明の別の態様によれば、ピクチャ送信方法が提供され、前記方法は、第１のサーバが端末の送信した要求メッセージを受信し、ここで、前記要求メッセージは、前記第１のサーバに記憶されたピクチャを取得するためのものであり、前記第１のサーバに記憶されたピクチャは、前記端末中の第１のピクチャに表示された所定の画像と合成を行うためのものであるステップと、前記第１のサーバが記憶されたピクチャから１枚又は複数枚のピクチャを選択するステップと、前記第１のサーバが選択した前記ピクチャを前記端末に送信するステップと、を含む。
【００１７】
選択的に、前記第１のサーバが記憶されたピクチャから１枚又は複数枚のピクチャを選択するステップは、前記第１のサーバが所定のポリシーに従って記憶されたピクチャから１枚又は複数枚のピクチャを選択するステップを含み、ここで、前記所定のポリシーは、前記端末が、前記要求メッセージの時間情報と、前記端末の位置情報と、前記端末に記録された使用者の個人情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも1つを送信するステップを含む。
【００１８】
選択的に、前記第１のサーバが記憶されたピクチャから１枚又は複数枚のピクチャを選択した後、前記方法は、前記第１のサーバが選択した前記１枚又は複数枚のピクチャの提供者情報を前記端末に送信するステップをさらに含む。
【００１９】
選択的に、前記１枚又は複数枚のピクチャの提供者情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも１つをさらに含む。
【００２０】
選択的に、前記第１のサーバが選択した前記１枚又は複数枚のピクチャの提供者情報を前記端末に送信した後、前記方法は、前記第１のサーバが前記端末の送信した通信要求メッセージを受信し、ここで、前記通信要求メッセージは、前記端末と前記１枚又は複数枚のピクチャの提供者情報に対応する提供者との間の通信接続の確立を要求するためのものであるステップと、前記第１のサーバが前記通信要求メッセージを通信接続を確立するための第２のサーバに送信するステップと、をさらに含む。
【００２１】
本発明の別の態様によれば、端末に用いられるピクチャ処理装置が提供され、前記装置は、前記端末中の第１のピクチャに表示された所定の画像を抽出する抽出モジュールと、第２のピクチャを取得する取得モジュールと、前記所定の画像及び前記第２のピクチャを１枚のピクチャに合成する合成モジュールと、を備える。
【００２２】
選択的に、前記取得モジュールは、要求メッセージを第１のサーバに送信し、ここで、前記要求メッセージは、前記第１のサーバに記憶されたピクチャの取得を要求するためのものである送信ユニットと、前記第１のサーバの送信した１枚又は複数枚のピクチャを受信し、ここで、前記１枚又は複数枚のピクチャは、前記第１のサーバが所定のポリシーに従って選択したピクチャである第１の受信ユニットと、前記１枚又は複数枚のピクチャから前記第２のピクチャを取得する取得ユニットと、を備える。
【００２３】
選択的に、前記装置は、前記第１のサーバの送信した前記１枚又は複数枚のピクチャの提供者情報を受信する第２の受信ユニットと、前記１枚又は複数枚のピクチャの提供者情報に基づいて前記１枚又は複数枚のピクチャの提供者と通信を行う通信ユニットと、をさらに備える。
【００２４】
選択的に、前記送信ユニットは、前記端末の運動速度及び／又は加速度が所定の閾値を超えると特定した後に、前記要求メッセージを前記第１のサーバに送信するステップと、所定のスライド軌跡を満足するタッチ信号を受信した後に、前記要求メッセージを前記第１のサーバに送信するステップと、のうちの少なくとも１つを含む。
【００２５】
選択的に、前記所定のポリシーは、前記端末が、前記要求メッセージの時間情報と、前記端末の位置情報と、前記端末に記録された使用者の個人情報と、前記端末が選択した地域情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも１つを送信するステップを含む。
【００２６】
選択的に、前記１枚又は複数枚のピクチャの提供者の情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも１つをさらに含む。
【００２７】
選択的に、前記通信ユニットは、ソーシャル関連付けを確立するための操作インタフェースを表示する表示サブユニットと、前記操作インタフェースをクリックする信号を受信した後に、通信要求メッセージを通信接続を確立するための第２のサーバに送信し、  ここで、前記通信要求メッセージは、前記１枚又は複数枚のピクチャの提供者との間の通信接続の確立を要求するためのものである送信サブユニットと、前記通信接続の確立が完了した後に、前記１枚又は複数枚のピクチャの提供者と通信を行う通信サブユニットと、を備える。
【００２８】
選択的に、前記送信サブユニットは、前記第１のサーバを介して前記通信要求メッセージを前記第２のサーバに送信するステップを含む。
【００２９】
本発明の別の態様によれば、第１のサーバに用いられるピクチャ送信装置が提供され、前記装置は、端末の送信した要求メッセージを受信し、ここで、前記要求メッセージは、前記第１のサーバに記憶されたピクチャを取得するためのものであり、前記第１のサーバに記憶されたピクチャは、前記端末中の第１のピクチャに表示された所定の画像と合成を行うためのものである第１の受信モジュールと、記憶されたピクチャから１枚又は複数枚のピクチャを選択する選択モジュールと、選択した前記ピクチャを前記端末に送信する第１の送信モジュールと、を備える。
【００３０】
選択的に、前記選択モジュールは、所定のポリシーに従って記憶されたピクチャから１枚又は複数枚のピクチャを選択するステップを含み、ここで、前記所定のポリシーは、前記端末が、前記要求メッセージの時間情報と、前記端末の位置情報と、前記端末に記録された使用者の個人情報と、前記第１のサーバに記憶されたピクチャの撮影時間情報と、前記第１のサーバに記憶されたピクチャの撮影位置情報と、前記第１のサーバに記憶されたピクチャの提供者の個人情報と、前記第１のサーバに記憶されたピクチャの提供者がアップロードしたピクチャの数量情報と、前記第１のサーバに記憶されたピクチャの提供者がアップロードして使用されたピクチャの数量情報と、前記第１のサーバに記憶されたピクチャの嗜好情報と、のうちの少なくとも１つを送信するステップを含む。
【００３１】
選択的に、前記装置は、選択した前記１枚又は複数枚のピクチャの提供者情報を前記端末に送信する第２の送信モジュールをさらに備える。
【００３２】
選択的に、前記１枚又は複数枚のピクチャの提供者情報は、前記１枚又は複数枚のピクチャの提供者の連絡先を含み、ここで、前記１枚又は複数枚のピクチャの提供者の情報は、前記１枚又は複数枚のピクチャの提供者の個人情報と、前記１枚又は複数枚のピクチャの撮影時間情報と、前記１枚又は複数枚のピクチャの撮影位置情報と、のうちの少なくとも１つをさらに含む。
【００３３】
選択的に、前記装置は、前記端末の送信した通信要求メッセージを受信し、ここで、前記通信要求メッセージは、前記端末と前記１枚又は複数枚のピクチャの提供者情報に対応する提供者との間の通信接続の確立を要求するためのものである第２の受信モジュールと、前記通信要求メッセージを通信接続を確立するための第２のサーバに送信する第３の送信モジュールと、をさらに備える。
【発明の効果】
【００３４】
本発明によれば、端末を使用して前記端末中の第１のピクチャに表示された所定の画像を抽出し、前記端末が第２のピクチャを取得し、前記端末が前記所定の画像及び前記第２のピクチャを１枚のピクチャに合成することで、従来技術に存在するピクチャ背景のランダム交換を実現できない問題を解決し、ピクチャ背景をランダムに交換する効果に達した。
【図面の簡単な説明】
【００３５】
ここでの図面は、本発明に対するさらなる理解を提供するためであり、本発明の一部を構成し、本発明の例示的な実施例及び説明は本発明を解釈するためのものであり、本発明に対する不当な限定として構成されない。
【図１】本発明の実施例に係るピクチャ処理方法のフローチャートである。
【図２】本発明の実施例に係るピクチャ送信方法のフローチャートである。
【図３】本発明の実施例に係るピクチャ処理装置の構成を示すブロック図である。
【図４】本発明の実施例に係るピクチャ処理装置における取得モジュール３４の構成を示すブロック図である。
【図５】本発明の実施例に係るピクチャ処理装置における取得モジュール３４の好ましい構成を示すブロック図である。
【図６】本発明の実施例に係るピクチャ処理装置における通信ユニット５４の構成を示すブロック図である。
【図７】本発明の実施例に係るピクチャ送信装置の構成を示すブロック図である。
【図８】本発明の実施例に係るピクチャ送信装置の好ましい構成を示すブロック図１である。
【図９】本発明の実施例に係るピクチャ送信装置の好ましい構成を示すブロック図２である。
【図１０】本発明の実施例に係るモバイル端末の構成を示すブロック図である。
【図１１】本発明の実施例に係る端末とネットワーク側との間のインタラクションを示す図である。
【図１２】本発明の実施例に係るサーバ側が背景ピクチャをプッシュする関連ポリシーを示す図である。
【図１３】本発明の実施例に係る端末側関連インタフェースを示す図である。
【発明を実施するための形態】
【００３６】
以下、図面を参照しながら実施例を併せて本発明を詳細に説明する。なお、衝突しない前提で、本発明の実施例及び実施例における特徴を互いに組み合わせてもよい。
【００３７】
なお、本発明の明細書と特許請求の範囲及び上記の図面における用語「第１の」、「第２の」などは、類似する対象を区別するためのもので、特定の順序又は前後順序を説明するためには使用されない。
【００３８】
本実施例によれば、ピクチャ処理方法が提供され、図１は、本発明の実施例に係るピクチャ処理方法のフローチャートである。図１に示すように、このフローは下記のステップを含む。
ステップＳ１０２：端末がこの端末中の第１のピクチャに表示された所定の画像を抽出する。
ステップＳ１０４：この端末が第２のピクチャを取得する。
ステップＳ１０６：この端末が上記の所定の画像及び第２のピクチャを１枚のピクチャに合成する。
【００３９】
ここで、第１のピクチャに表示された所定の画像は、ユーザの自撮り写真中の人物画像であってもよく、又は、撮影した家族写真中の家族画像であってもよく、もちろん、ペットの画像などのような他の画像であってもよい。上記の所定の画像及び第２のピクチャを合成することで、背景画像を交換する目的を実現することができる。また、端末は、第２のピクチャをすぐに取得した後、取得したピクチャに満足しない場合には、第２のピクチャを取得し続けることができ、つまり、端末が第２のピクチャを取得するステップは、満足するピクチャを取得するまで、ループするステップであってもよい。また、第１のピクチャに表示された所定の画像を抽出するステップと、第２のピクチャを取得するするステップとの２つは、前後順序がなく、どのステップをまず実行してもよく、又は、この２つのステップを同時に実行してもよい。上記のステップによれば、従来技術に存在するピクチャ背景のランダム交換を実現できない問題を解決し、ピクチャ背景をランダムに交換する効果に達した。
【００４０】
端末は第２のピクチャを取得する場合には、様々な方法によって取得することができ、例えば、端末に記憶されたピクチャを取得することができ、ブルーツース伝送の方法によって他の端末中のピクチャを取得することができ、もちろん、サーバによってピクチャを取得することもでき、以下、端末がサーバによって第２のピクチャを取得することを例として説明する。一選択可能な実施例では、上記の端末が第２のピクチャを取得するステップは、この端末が要求メッセージを第１のサーバに送信し、ここで、この要求メッセージは、第１のサーバに記憶されたピクチャの取得を要求するためのものであるステップと、この端末が第１のサーバの送信した１枚又は複数枚のピクチャを受信し、ここで、この１枚又は複数枚のピクチャは、第１のサーバが所定のポリシーに従って選択したピクチャであるステップと、端末がこの１枚又は複数枚のピクチャから第２のピクチャを取得するステップと、を含む。上記の方法を使用して第２のピクチャを取得する場合、第１のサーバにはいくつかのピクチャが予め記憶されることができ、或いは、第１のサーバは、端末の要求メッセージを受信した後に、ピクチャを取得することができる。以下、一具体的な実施例を併せて説明する。他の端末の撮影者、例えば、風景撮影者は、撮影した後に、写真を背景ピクチャとして第１のサーバにアップローするように選択することができる。第１のサーバは、異なる風景撮影者からのモバイル端末がアップロードした背景写真を受信して、これらの背景写真を特定のポリシーに従って記憶する。人物画像撮影者のモバイル端末（即ち、上記の第２のピクチャの取得を必要とする端末）は撮影が完了した後に、写真中の人物画像情報を抽出して、ユーザ操作によって背景写真要求を第１のサーバに送信し、第１のサーバは特定のポリシーに従って風景撮影ピクチャを人物画像撮影者のモバイル端末に送信する。モバイル端末は、第１のサーバの送信した風景撮影ピクチャを受信した後に、この端末において人物画像と受信した風景撮影ピクチャの合成を完了することができる。
【００４１】
一選択可能な実施例では、上記の端末が要求メッセージを第１のサーバに送信した後、前記方法は、上記の端末が第１のサーバの送信した１枚又は複数枚のピクチャの提供者情報を受信するステップと、上記の端末がこの１枚又は複数枚のピクチャの提供者情報に基づいて１枚又は複数枚のピクチャの提供者と通信を行うステップと、をさらに含む。つまり、第１のサーバは、ピクチャを端末に提供するとともに、ピクチャの提供者の情報も一括して端末に送信することができ、第１のサーバは、ピクチャを端末に送信するとともに提供者の情報を送信することができ、ピクチャを送信する前に提供者の情報を送信することができ、或いは、ピクチャを送信した後に提供者の情報を送信することができる。これにより、端末の使用者とピクチャの提供者とが通信を行う目的を実現した。
【００４２】
一選択可能な実施例では、上記の端末が要求メッセージを第１のサーバに送信するステップは、この端末が端末の運動速度及び／又は加速度が所定の閾値を超えると特定した後に、要求メッセージを第１のサーバに送信するステップと、この端末が所定のスライド軌跡を満足するタッチ信号を受信した後に、要求メッセージを第１のサーバに送信するステップと、のうちの少なくとも１つを含む。つまり、ユーザは、端末（例えば、「シェイク」の方法）をシェイクする方法によって、要求メッセージをサーバに送信することができ、或いは、端末上で所定の軌跡をスライドする方法によって、要求メッセージをサーバに送信することもできる。また、端末の使用者が取得したピクチャに満足しない場合には、随時に上記の操作方法によってピクチャ取得要求をサーバに再送信することができる。端末をシェイクする方法によってピクチャ取得要求を送信する場合には、端末中のジャイロスコープ又は重力センサーをトリガすることで要求が起動される。
【００４３】
一選択可能な実施例では、上記の所定のポリシーは、端末が要求メッセージを送信する時間情報と、端末の位置情報と、端末に記録された使用者の個人情報と、端末が選択した地域情報と、第１のサーバに記憶されたピクチャの撮影時間情報と、第１のサーバに記憶されたピクチャの撮影位置情報と、第１のサーバに記憶されたピクチャの提供者の個人情報と、第１のサーバに記憶されたピクチャの提供者がアップロードしたピクチャの数量情報と、第１のサーバに記憶されたピクチャの提供者がアップロードして使用されたピクチャの数量情報と、第１のサーバに記憶されたピクチャの嗜好情報と、のうちの少なくとも１つを含むことができる。ここで、上記の端末が選択した地域情報は、端末のユーザが指定した取得が必要とされる地域（例えば、中国の北京）のピクチャの提供者が提供したピクチャであってもよく、又は、所定の地域で撮影したピクチャを取得することであってもよい。上記の端末に記録された使用者の個人情報は、この使用者の年齢、学歴、趣味などを含むことができ、上記のピクチャの提供者の個人情報も、提供者の年齢、学歴、趣味などを含むことができ、したがって、端末にピクチャを提供するときに、この端末の使用者と年齢又は学歴が相当な提供者により提供されたピクチャを選択することができる。上記の第１のサーバに記憶されたピクチャの嗜好情報は、ピクチャの好まれる程度であり、例えば、異なる端末のユーザは、「いいね」する方法によって好きなピクチャを識別することができ、ここに記載されるピクチャの嗜好情報は、「いいね」された回数であってもよく、又は、異なる端末のユーザにより使用された回数であってもよい。なお、ピクチャの提供者は、ピクチャを第１のサーバにアップロードするとともに、自分の個人情報も一括して第１のサーバにアップロードすることができる。
【００４４】
一選択可能な実施例では、上記の１枚又は複数枚のピクチャの提供者の情報は、この１枚又は複数枚のピクチャの提供者の連絡先を含むことができ、連絡先以外に、この１枚又は複数枚のピクチャの提供者の情報は、この１枚又は複数枚のピクチャの提供者の個人情報と、この１枚又は複数枚のピクチャの撮影時間情報と、この１枚又は複数枚のピクチャの撮影位置情報と、のうちの少なくとも１つをさらに含み、ここで、個人情報は、年齢、学歴、趣味などの情報のうちの少なくとも１つを含むことができる。
【００４５】
一選択可能な実施例では、上記の端末が１枚又は複数枚のピクチャの提供者情報に基づいてこの１枚又は複数枚のピクチャの提供者と通信を行うステップは、端末がソーシャル関連付けを確立するための操作インタフェースを表示するステップと、この端末が、上記の操作インタフェースをクリックする信号を受信した後に、通信要求メッセージを通信接続を確立するための第２のサーバに送信し、ここで、この通信要求メッセージは、この１枚又は複数枚のピクチャの提供者との間の通信接続の確立を要求するためのものであるステップと、通信接続の確立が完了した後に、上記の端末と１枚又は複数枚のピクチャの提供者が通信を行うステップと、を含む。ここで、この第１のサーバ及び第２のサーバは、１つのサーバであってもよく、又は、それぞれ独立したサーバであってもよい。ピクチャの提供者と通信を行う場合には、第２のピクチャの提供者のみと通信を行うように選択することができ、もちろん、他の選択されていないピクチャの提供者と通信を行うこともできる。一例では、上記の端末の使用者があるピクチャを選択した後、端末のインタフェースは、端末の使用者が対応するピクチャの提供者に対して伝言してソーシャル関連付けを確立できるように、操作インタフェースを与える。
【００４６】
一選択可能な実施例では、上記のソーシャル関連付けを確立するステップは、下記のようであってもよい。端末の使用者がピクチャインタフェースを選択して合成した後、この端末インタフェースは、ソーシャル関連付けを確立するための操作インタフェースを与え、端末は、このインタフェースに対する操作を検出する。端末は、ユーザのソーシャル関連付け操作インタフェースに対する操作を検出した後に、予め取得したピクチャの提供者の個人ソーシャル情報に基づいて、ピクチャの提供者を探してインスタントメッセージングを確立する。ここで、インスタントメッセージングを確立する方法は、下記の２つの方法を含む。第１の方法は、端末が、通信接続（例えば、インスタントメッセージング）を確立する要求を第１のサーバに提出し、第１のサーバは、この要求を受信した後に、この要求を外部の独立したソーシャル通信管理モジュール（又は、独立サーバ、上記の第２のサーバに相当する）に受け渡し、ソーシャル通信管理サーバが両方のソーシャル情報（例えば、インスタントメッセージング番号）に基づいて両方のインスタントメッセージングを確立する。第２の方法は、端末が直接にピクチャの提供者のソーシャル情報を抽出し、第１のサーバとは異なるソーシャル通信管理サーバ（上記の第２のサーバに相当する）にインスタントメッセージング確立要求を送信する。ソーシャル通信管理サーバは、要求を受信した後に、両方のソーシャル情報（例えば、インスタントメッセージング番号）に基づいて、両方のインスタントメッセージングを確立する。上記の実施例から分かるように、第１のサーバ及び第２のサーバが１つのサーバでない場合に、端末は、第１のサーバを使用して、間接に通信接続要求を通信接続を確立するための第２のサーバに送信することができる。
【００４７】
図２は、本発明の実施例に係るピクチャ送信方法のフローチャートであり、図２に示すように、この方法は、下記のステップを含む。
ステップＳ２０２：第１のサーバが端末の送信した要求メッセージを受信し、ここで、この要求メッセージは、第１のサーバに記憶されたピクチャを取得するためのものであり、この第１のサーバに記憶されたピクチャは、端末中の第１のピクチャに表示された所定の画像と合成を行うためのものである。
ステップＳ２０４：上記の第１のサーバが記憶されたピクチャから１枚又は複数枚のピクチャを選択する。
ステップＳ２０６：上記の第１のサーバが選択したピクチャを端末に送信する。
【００４８】
上記のステップから分かるように、端末は、ピクチャ中の一部の画像（例えば、背景画像）を交換する必要がある場合に、ピクチャを取得する要求を第１のサーバに随時送信することができ、この第１のサーバは、端末がピクチャの合成を行うように、この端末の要求に基づいて、選択したピクチャを端末に送信する。上記のステップによれば、従来技術に存在するピクチャ背景のランダム交換を実現できない問題を解決し、ピクチャ背景をランダムに交換する効果に達した。
【００４９】
一選択可能な実施例では、上記の第１のサーバが記憶されたピクチャから１枚又は複数枚のピクチャを選択するステップは、この第１のサーバが所定のポリシーに従って記憶されたピクチャから１枚又は複数枚のピクチャを選択するステップを含み、ここで、この所定のポリシーは、端末が要求メッセージを送信する時間情報と、端末の位置情報と、端末に記録された使用者の個人情報と、第１のサーバに記憶されたピクチャの撮影時間情報と、第１のサーバに記憶されたピクチャの撮影位置情報と、第１のサーバに記憶されたピクチャの提供者の個人情報と、第１のサーバに記憶されたピクチャの提供者がアップロードしたピクチャの数量情報と、第１のサーバに記憶されたピクチャの提供者がアップロードして使用されたピクチャの数量情報と、第１のサーバに記憶されたピクチャの嗜好情報と、のうちの少なくとも１つを含む。ここで、上記の端末が選択した地域情報は、端末のユーザが指定した取得が必要とされる地域（例えば、中国の北京）のピクチャの提供者が提供したピクチャであってもよく、又は、所定の地域で撮影したピクチャを取得することであってもよい。上記の端末に記録された使用者の個人情報は、この使用者の年齢、学歴、趣味などを含むことができ、上記のピクチャの提供者の個人情報も、提供者の年齢、学歴、趣味などを含むことができ、したがって、端末にピクチャを提供するときに、この端末の使用者と年齢又は学歴が相当な提供者により提供されたピクチャを選択することができる。上記の第１のサーバに記憶されたピクチャの嗜好情報は、ピクチャの好まれる程度であり、例えば、異なる端末のユーザは、「いいね」する方法によって好きなピクチャを識別することができ、ここに記載されるピクチャの嗜好情報は、「いいね」された回数であってもよく、又は、異なる端末のユーザにより使用された回数であってもよい。なお、ピクチャの提供者は、ピクチャを第１のサーバにアップロードするとともに、自分の個人情報も一括して第１のサーバにアップロードすることができる。ここで、第１のサーバは、ピクチャの提供者がアップロードしたピクチャを受信した後に、一定のポリシーに従ってピクチャを記憶することもでき、また、第１のサーバは、ピクチャの提供者がアップロードしたピクチャを受信するとき、ピクチャの提供者が報告した年齢、学歴、趣味のようなこのピクチャの提供者の関連情報も受信することができ、又は、ピクチャの撮影時間、撮影地点のようなピクチャの関連情報も受信することができる。
【００５０】
一選択可能な実施例では、上記の第１のサーバが記憶されたピクチャから１枚又は複数枚のピクチャを選択した後、前記方法は、この第１のサーバが選択した１枚又は複数枚のピクチャの提供者情報を端末に送信するステップをさらに含む。ここで、第１のサーバは、ピクチャの提供者情報を送信する場合に、ピクチャの提供者情報を別々に端末に送信することができ、また、ピクチャの提供者情報及びピクチャを送信するステップは、前後順序がなく、どの操作をまず実行してもよく、或いは、ピクチャ及びピクチャの提供者情報を同時に送信してもよい。また、第１のサーバは、ピクチャの提供者情報を送信する場合に、このピクチャの提供者情報をピクチャに記録することもでき、したがって、ピクチャを送信するとともにピクチャの提供者情報も一括して送信することができ、これにより、ピクチャの提供者情報を追加送信する必要がなく、サーバの負荷を軽減できる。
【００５１】
一選択可能な実施例では、上記の１枚又は複数枚のピクチャの提供者情報は、１枚又は複数枚のピクチャの提供者の連絡先を含み、ここで、１枚又は複数枚のピクチャの提供者の情報は、１枚又は複数枚のピクチャの提供者の個人情報と、１枚又は複数枚のピクチャの撮影時間情報と、１枚又は複数枚のピクチャの撮影位置情報と、のうちの少なくとも１つをさらに含む。
【００５２】
一選択可能な実施例では、上記の第１のサーバが選択した１枚又は複数枚のピクチャの提供者情報を端末に送信した後、前記方法は、この第１のサーバが端末の送信した通信要求メッセージを受信し、ここで、この通信要求メッセージは、端末と１枚又は複数枚のピクチャの提供者情報に対応する提供者との間の通信接続の確立を要求するためのものであるステップと、この第１のサーバが通信要求メッセージを通信接続を確立するための第２のサーバに送信するステップと、をさらに含む。もちろん、この第１のサーバが通信接続を確立する機能を備えることもでき、第１のサーバが通信接続を確立する機能を備える場合、この第１のサーバは通信要求メッセージに基づいて端末とピクチャの提供者との間の通信接続を直接に確立することができる。
【００５３】
以上の実施形態の説明を通じて、当業者であれば、上記実施例の方法がソフトウェアと必要の一般的なハードウェアプラットフォームによって実現できることを明らかに知ることができ、もちろん、ハードウェアによって実現することもできるが、多くの場合には、前者のハードウェアプラットフォームがより好ましい実施形態である。これらの理解に基づいて、本発明の技術的案は本質的に、或いは、従来技術に対して貢献をした部分は、ソフトウェア製品の形で具現されることができ、このコンピュータソフトウェア製品は、１つの記録媒体（例えば、ＲＯＭ／ＲＡＭ、磁気ディスク、光ディスク）に記憶され、一台の端末機器（携帯電話、コンピュータ、サーバ、又はネットワーク機器などであってもよい）が本発明の各実施例の方法を実行するようにいくつかの命令を含む。
【００５４】
本実施例によれば、ピクチャ処理装置がさらに提供され、この装置は、上記の実施例及び好ましい実施形態を実現するためのもので、既に説明されている部分については詳細な説明を省略する。以下に使用された用語「モジュール」は、予め設定した機能のソフトウェア及び／又はハードウェアの組み合わせを実現できる。以下の実施例に説明する装置は、ソフトウェアで実現されることが好ましいが、ハードウェア、又は、ソフトウェア及びハードウェアの組み合わせで実現することも構想されるものである。
【００５５】
図３は、本発明の実施例に係るピクチャ処理装置の構成を示すブロック図であり、この装置は、端末に用いられ、図３に示すように、この装置は、抽出モジュール３２、取得モジュール３４及び合成モジュール３６を備え、以下、この装置について説明する。
【００５６】
抽出モジュール３２は、端末中の第１のピクチャに表示された所定の画像を抽出するように構成され、取得モジュール３４は、上記の抽出モジュール３２に接続されて、第２のピクチャを取得するように構成され、合成モジュール３６は、上記の取得モジュール３４に接続されて、上記の所定の画像及び第２のピクチャを１枚のピクチャに合成するように構成される。
【００５７】
図４は、本発明の実施例に係るピクチャ処理装置における取得モジュール３４の構成を示すブロック図であり、図４に示すように、この取得モジュール３４は、送信ユニット４２、第１の受信ユニット４４及び取得ユニット４６を備え、以下、この取得モジュール３４について説明する。
【００５８】
送信ユニット４２は、要求メッセージを第１のサーバに送信するように構成され、ここで、この要求メッセージは、第１のサーバに記憶されたピクチャの取得を要求するためのものであり、第１の受信ユニット４４は、上記の送信ユニット４２に接続されて、第１のサーバの送信した１枚又は複数枚のピクチャを受信するように構成され、ここで、この１枚又は複数枚のピクチャは、第１のサーバが所定のポリシーに従って選択したピクチャであり、取得ユニット４６は、上記の第１の受信ユニット４４に接続されて、１枚又は複数枚のピクチャから第２のピクチャを取得するように構成される。
【００５９】
図５は、本発明の実施例に係るピクチャ処理装置における取得モジュール３４の好ましい構成を示すブロック図であり、図５に示すように、この取得モジュール３４は、図４に示す各ユニット以外に、第２の受信ユニット５２及び通信ユニット５４をさらに備え、以下、この取得モジュール３４について説明する。
【００６０】
第２の受信ユニット５２は、上記の送信ユニット４２に接続されて、第１のサーバの送信した１枚又は複数枚のピクチャの提供者情報を受信するように構成され、通信ユニット５４は、上記の第２の受信ユニット５２に接続されて、１枚又は複数枚のピクチャの提供者情報に基づいてこの１枚又は複数枚のピクチャの提供者と通信を行うように構成される。
【００６１】
一選択可能な実施例では、上記の送信ユニット４２が実行する操作は、この端末の運動速度及び／又は加速度が所定の閾値を超えると特定した後に、要求メッセージを第１のサーバに送信するステップと、所定のスライド軌跡を満足するタッチ信号を受信した後に、要求メッセージを第１のサーバに送信するステップと、のうちの少なくとも１つを含む。
【００６２】
一選択可能な実施例では、上記の所定のポリシーは、端末が要求メッセージを送信する時間情報と、端末の位置情報と、端末に記録された使用者の個人情報と、端末が選択した地域情報と、第１のサーバに記憶されたピクチャの撮影時間情報と、第１のサーバに記憶されたピクチャの撮影位置情報と、第１のサーバに記憶されたピクチャの提供者の個人情報と、第１のサーバに記憶されたピクチャの提供者がアップロードしたピクチャの数量情報と、第１のサーバに記憶されたピクチャの提供者がアップロードして使用されたピクチャの数量情報と、第１のサーバに記憶されたピクチャの嗜好情報と、のうちの少なくとも１つを含むことができる。
【００６３】
一選択可能な実施例では、上記の１枚又は複数枚のピクチャの提供者の情報は、１枚又は複数枚のピクチャの提供者の連絡先を含み、ここで、この１枚又は複数枚のピクチャの提供者の情報は、１枚又は複数枚のピクチャの提供者の個人情報と、１枚又は複数枚のピクチャの撮影時間情報と、１枚又は複数枚のピクチャの撮影位置情報と、のうちの少なくとも１つを含むことができる。
【００６４】
図６は、本発明の実施例に係るピクチャ処理装置における通信ユニット５４の構成を示すブロック図であり、図６に示すように、この通信ユニット５４は、表示サブユニット６２、送信サブユニット６４及び通信サブユニット６６を備え、以下、この通信ユニット５４について説明する。
【００６５】
表示サブユニット６２は、ソーシャル関連付けを確立するための操作インタフェースを表示するように構成され、送信サブユニット６４は、上記の表示サブユニット６２に接続されて、操作インタフェースをクリックする信号を受信した後に、通信要求メッセージを通信接続を確立するための第２のサーバに送信するように構成され、ここで、この通信要求メッセージは、１枚又は複数枚のピクチャの提供者との間の通信接続の確立を要求するためのものであり、通信サブユニット６６は、上記の送信サブユニット６４に接続されて、上記の通信接続の確立が完了した後に、１枚又は複数枚のピクチャの提供者と通信を行うように構成される。
【００６６】
一選択可能な実施例では、上記の送信サブユニット６４が実行する操作は、第１のサーバを介して上記の通信要求メッセージを第２のサーバに送信するステップを含む。図７は、本発明の実施例に係るピクチャ送信装置の構成を示すブロック図であり、この装置は、第１のサーバに用いられ、図７に示すように、この装置は、第１の受信モジュール７２、選択モジュール７４及び第１の送信モジュール７６を備え、以下、この装置について説明する。
【００６７】
第１の受信モジュール７２は、端末の送信した要求メッセージを受信するように構成され、ここで、この要求メッセージは、第１のサーバに記憶されたピクチャを取得するためのものであり、第１のサーバに記憶されたピクチャは、端末中の第１のピクチャに表示された所定の画像と合成を行うためのものであり、選択モジュール７４は、上記の第１の受信モジュール７２に接続されて、記憶されたピクチャから１枚又は複数枚のピクチャを選択するように構成され、第１の送信モジュール７６は、上記の選択モジュール７４に接続されて、選択したピクチャを端末に送信するように構成される。
【００６８】
一選択可能な実施例では、上記の選択モジュール７４が実行する操作は、所定のポリシーに従って記憶されたピクチャから１枚又は複数枚のピクチャを選択するステップを含み、ここで、この所定のポリシーは、端末が要求メッセージを送信する時間情報と、端末の位置情報と、端末に記録された使用者の個人情報と、第１のサーバに記憶されたピクチャの撮影時間情報と、第１のサーバに記憶されたピクチャの撮影位置情報と、第１のサーバに記憶されたピクチャの提供者の個人情報と、第１のサーバに記憶されたピクチャの提供者がアップロードしたピクチャの数量情報と、第１のサーバに記憶されたピクチャの提供者がアップロードして使用されたピクチャの数量情報と、第１のサーバに記憶されたピクチャの嗜好情報と、のうちの少なくとも１つを含む。
【００６９】
図８は、本発明の実施例に係るピクチャ送信装置の好ましい構成を示すブロック図１であり、図８に示すように、この装置は、図７に示す全てのモジュール以外に、第２の送信モジュール８２をさらに備え、以下、この装置について説明する。
【００７０】
第２の送信モジュール８２は、上記の選択モジュール７４に接続されて、選択した１枚又は複数枚のピクチャの提供者情報を端末に送信するように構成される。
【００７１】
一選択可能な実施例では、上記の１枚又は複数枚のピクチャの提供者情報は、１枚又は複数枚のピクチャの提供者の連絡先を含み、ここで、この１枚又は複数枚のピクチャの提供者の情報は、１枚又は複数枚のピクチャの提供者の個人情報と、１枚又は複数枚のピクチャの撮影時間情報と、１枚又は複数枚のピクチャの撮影位置情報と、のうちの少なくとも１つをさらに含む。
【００７２】
図９は、本発明の実施例に係るピクチャ送信装置の好ましい構成を示すブロック図２であり、図９に示すように、この装置は、図８に示す全てのモジュール以外に、第２の受信モジュール９２及び第３の送信モジュール９４をさらに備え、以下、この装置について説明する。
【００７３】
第２の受信モジュール９２は、上記の第２の送信モジュール８２に接続されて、端末の送信した通信要求メッセージを受信するように構成され、ここで、この通信要求メッセージは、端末と１枚又は複数枚のピクチャの提供者情報に対応する提供者との間の通信接続の確立を要求するためのものであり、第３の送信モジュール９４は、上記の第２の受信モジュール９２に接続されて、通信要求メッセージを通信接続を確立するための第２のサーバに送信するように構成される。
【００７４】
図１０は、本発明の実施例に係るモバイル端末の構成を示すブロック図であり、図１０に示すように、このモバイル端末は、画像処理ユニット１０２（上記の抽出モジュール３２に相当する）、撮影表示ユニット１０４、ソーシャル管理ユニット１０６（上記の通信ユニット５４に相当する）及び写真アップロードユニット１０８を備え、以下、各ユニットについて説明する。
【００７５】
画像処理ユニット１０２は、人物画像撮影者のピクチャ（上記の端末中の第１のピクチャに相当する）を処理し、ピクチャ中の人物画像情報を抽出し、人物画像情報及び受信した風景撮影者（上記のピクチャの提供者に相当する）の撮影した背景ピクチャを合成するためのものである。
【００７６】
撮影表示ユニット１０４は、ユーザの撮影した人物画像情報及び受信した背景情報を表示するためのものである。
【００７７】
ソーシャル管理ユニット１０６は、ユーザの操作によって、人物画像撮影者のサーバへの特定の風景撮影者に対するソーシャル要求の送信を完了し、ソーシャルコンテンツを伝送するためのものである。
【００７８】
写真アップロードユニット１０８は、ユーザが風景撮影者となる場合に、写真を撮った後に、この写真アップロードユニット１０８を介して、自分の撮影した背景ピクチャをサーバにアップロードすることができる。
【００７９】
以下、「シェイク」の方法によって端末中の写真の背景画像を交換することを例として、本発明について説明する。
【００８０】
現在、ウィーチャット（ＷｅＣｈａｔ）の応用がますます広くなっており、ウィーチャットの応用において、ユーザは、シェイクの方法によって、対応するミュージック又は他のユーザを探すことができる。そこで、ユーザが写真を撮った後でも、シェイクの方法によって、他のユーザのアップロードした背景ピクチャを探して、自分の撮影背景を交換して新たな写真を合成できるか？以下、どのようにしてカメラによって写真を撮影し、シェイク機能によって写真背景を交換し、さらに、撮影者の間のソーシャル機能をオープンするかについて説明する。
【００８１】
本発明の実施例では、主に、どのようにして現在ユーザの自撮りの時に背景をランダムに交換できない問題を解決し、さらに、自撮りユーザと風景撮影者との間で撮影合成を行ってソーシャルコミュニケーションを生成する方法を提供することについて説明している。
【００８２】
本発明の実施例によれば、下記の方法が提出される（区分説明の便宜上、本発明の下記では、風景背景写真を提供するユーザを風景撮影者（上記のピクチャの提供者に相当する）と称し、人物写真を提供するユーザを人物画像撮影者（上記の第２のピクチャの取得を必要とする端末の使用者に相当する）と称する）。
【００８３】
図１１は、本発明の実施例に係る端末とネットワーク側との間のインタラクションを示す図である。ここで、主なステップは、下記のようである。
Ｓ１１０２：風景撮影者Ａ、Ｂ、Ｃが、それぞれ撮影した風景ピクチャを背景ピクチャとして写真リソース及びソーシャル情報サーバにアップロードするとともに、選択的に、本人のソーシャル情報を付随して写真と関連付けてアップロードする。
Ｓ１１０４：人物画像撮影者Ｘが撮影して人物画像を抽出した後に、背景ピクチャの取得要求をサーバに送信する。
Ｓ１１０６：サーバが撮影者Ｘの要求を受信した後に、サーバ側から特定のポリシーに従って、撮影者Ｘへ背景ピクチャをプッシュする。Ｓ１１０４及びＳ１１０６のフローは、人物画像撮影者Ｘが適切な背景を選択するまで、繰り返し続けることができる。
Ｓ１１０８：撮影者Ｘが適切な背景を選択した後に（この背景の提供者がＣであり、Ｃが背景ピクチャとともに個人ソーシャル情報をアップロードしたものとすると）、自機で抽出した人物画像及びＣが提供した背景を合成し、モバイル端末でＣのソーシャル情報をクリックして、インスタントメッセージング関連付けの確立を要求する。
Ｓ１１１０：写真リソース及びソーシャル情報サーバは、ユーザＸの要求を受信した後に、ユーザＸとユーザＣとの間のインスタントメッセージングの確立要求をサーバ側のソーシャル通信管理モジュールに転送し、ソーシャル通信管理モジュールが、ユーザＸとユーザＣとの間のインスタントメッセージングを確立する。（さらに、インスタントメッセージングを確立する前に、ユーザ認証などのようなユーザＣ承認判断を加えることができる）。
【００８４】
上記のインスタントメッセージングを確立する場合に、ポイントトゥポイント（Ｐｏｉｎｔ  ｔｏ  Ｐｏｉｎｔ、単にｐ２ｐと称する）の技術を使用して、ファイアウォールを通過してＡＶの伝送を行ったり、ユニバーサルプラグアンドプレイ（Ｕｎｉｖｅｒｓａｌ  Ｐｌｕｇ  ａｎｄ  Ｐｌａｙ、単にＵＰＮＰと称する）プロトコルを使用して、ネットワーク中のＵＰＮＰ機器を自動的に検索したり、ポートマッピングを能動的にオープンしたりすることができる。ここで、両方のアカウントを持った後のインスタントメッセージングを確立するフロー及び両方の通信フローに対しては、詳細な説明を省略する。
【００８５】
図１２は、本発明の実施例に係るサーバ側が背景ピクチャをプッシュする関連ポリシーを示す図であり、図１２に示すように、サーバ（上記の第１のサーバに相当する）は、人物画像撮影者がピクチャをアップロードした時間パラメータに基づいて、背景ピクチャポリシーをプッシュすることができ、例えば、現在の時間から最も近いアップロードピクチャを自動的に探して、人物画像撮影者にプッシュする背景ピクチャとすることができ、或いは、毎日のこの期間にアップロードする背景ピクチャを優先的に選択して、対応付けてランダムプッシュを行うこともできる。
【００８６】
位置パラメータに基づいて、背景ピクチャポリシーをプッシュすることができ、（このポリシーは、風景撮影者がピクチャ及び個人ソーシャル情報をアップロードするときに、このピクチャの撮影時の位置データも付随することを必要とする。それとともに、人物画像撮影者が背景ピクチャ要求をアップロードするときに、自分の位置情報も付随することも必要とする。）例えば、風景撮影者と人物画像撮影者との間の距離関係に基づいて、画像プッシュ優先度ポリシーを制定することができ、或いは、人物画像撮影者指定地域の風景画像を高い優先度として背景ピクチャをプッシュすることもできる。
【００８７】
性別、年齢、学歴などのようなユーザ個人情報のマッチング程度を背景ピクチャをプッシュするポリシー根拠とすることができる。
【００８８】
また、履歴データに関連付けられたプッシュポリシーを取って、例えば、風景撮影者のアップロードしたピクチャの数量、使用された数量に基づくことができる。或いは、人物画像撮影者の履歴選択データ特徴に基づいて背景写真をプッシュするポリシーを制定することができる。
【００８９】
以上のように、ポリシーは、単一で又は混合して使用されることができ、背景ピクチャを人物画像撮影者の端末に成功的にプッシュできる前提下で、関連ポリシーの選択は、実施形態上の差異にすぎない。
【００９０】
図１３は、本発明の実施例に係る端末側関連インタフェースを示す図であり、この図では、人物画像撮影者が風景位置を手動で選択して風景ピクチャとしてアップロードする好ましいポリシーを示しており、図１３に示すように、人物画像撮影者はピクチャを撮影した後に、シェイク操作によって、本発明の背景ピクチャを要求するフローをオープンする。人物画像撮影者が携帯電話をシェイクした後、撮影インタフェースは、左右に画面を分割する方法で表示を行い、左側は、画像処理方式によって抽出した写真中の個人映像を表示し、右側は、人物画像撮影者が選択可能な背景映像の制限される地域の地図インタフェースを表示する。
【００９１】
人物画像撮影者が手動で地区から限定地域を選択した後、端末側がユーザの選択した地域情報をサーバに送信し、サーバは、選択した地域に基づいて、関連付けられた背景写真を人物画像撮影者の端末にプッシュする。
【００９２】
人物画像撮影者の端末は背景写真を受信した後に、それを個人映像と合成し、この時、人物画像撮影者が受信した背景写真に満足しない場合には、携帯電話をシェイクすることで、サーバが新たな写真を交換するように要求することができる。
【００９３】
合成に成功した後、合成結果のインタフェースに、背景写真提供者に連絡するインタフェースが提供され、ユーザがオープンすると、インスタントメッセージングの確立要求をサーバ側に送信し、サーバが人物画像撮影者と背景写真提供者との間のインスタントメッセージングを確立した後、両方は、さらにインスタントメッセージングコミュニケーションを行うことができる。
【００９４】
本発明の実施例の技術的案によれば、人物画像撮影者がシェイク（又は、他の方式）する方法によって、サーバから新たな背景風景ピクチャをダウンロードし続けることができ、また、サーバ側は、時間／地域に関連付けられたポリシーによって、人物画像撮影者の興味のある背景写真を自動的に選択してランダムに発行することができ、これにより、ユーザに新たな体験の背景交換方法を提供できる。
【００９５】
本発明の実施例では、撮影ピクチャの合成の上で、風景撮影者と人物画像撮影者との間のソーシャル機能を提出した。この機能によれば、人物画像撮影者が自分の好きな風景写真の風景撮影者に便利に連絡できるようにさせて、写真のマッチング及び合成によって、さらにネットワークソーシャル機能に達する効果を実現することができ、良好な実施価値及び使用体験を有する。
【００９６】
なお、上記各モジュールは、ソフトウェア又はハードウェアにより実現でき、ハードウェアについては、以下の方法で実現できるが、これに限定されない。上記モジュールはいずれも同じプロセッサーに位置され、或いは、上記モジュールはそれぞれ複数のプロセッサーに位置する。
【００９７】
本発明の実施例は、記録媒体をさらに提供する。選択的に、本実施例では、上記記録媒体は、以下のステップを実行するためのプログラムコードが記憶されることができる。
Ｓ１：端末がこの端末中の第１のピクチャに表示された所定の画像を抽出する。
Ｓ２：この端末が第２のピクチャを取得する。
Ｓ３：この端末が上記の所定の画像及び第２のピクチャを１枚のピクチャに合成する。
【００９８】
選択的に、記録媒体は、さらに、以下のステップを実行するためのプログラムコードが記憶されることができる。  
Ｓ１：第１のサーバが端末の送信した要求メッセージを受信し、ここで、この要求メッセージは、第１のサーバに記憶されたピクチャを取得するためのものであり、この第１のサーバに記憶されたピクチャは、端末中の第１のピクチャに表示された所定の画像と合成を行うためのものである。
Ｓ２：上記の第１のサーバが記憶されたピクチャから１枚又は複数枚のピクチャを選択する。
Ｓ３：上記の第１のサーバが選択したピクチャを端末に送信する。
【００９９】
選択的に、本実施例では、上記記録媒体は、ＵＳＢ、読み取り専用メモリ（Ｒｅａｄ−Ｏｎｌｙ  Ｍｅｍｏｒｙ、単にＲＯＭと称する）、ランダムアクセスメモリ（Ｒａｎｄｏｍ  Ａｃｃｅｓｓ  Ｍｅｍｏｒｙ、単にＲＡＭと称する）、モバイルハードディスク、磁気ディスクや光ディスクなどのプログラムコードを記憶できる様々な媒体を含むことができるが、これらに限定されない。
【０１００】
選択的に、本実施例の具体的な例は、上記実施例及び選択可能な実施形態に説明された例を参照でき、本実施例では、ここで詳細な説明を省略する。
【０１０１】
また、当業者にとっては、上記の本発明の各モジュール又は各ステップが、汎用の計算装置により実現されることができ、それらは単体の計算装置に集中されてもよく、又は複数の計算装置により構成されたネットワークに分散されてもよく、選択的に、それらは計算装置の実行可能なプログラムコードにより実現されることができ、これによって、それらを記憶装置に記憶させて計算装置により実行されることができ、また、場合によっては、こちらの手順と異なる手順で示した又は説明されたステップを実行し、又はそれらをそれぞれの集積回路モジュールに製造し、又はそれらのうちの複数のモジュール又はステップを単体の集積回路モジュールに製造して実現されることができることが明らかなことである。このように、本発明はいずれの特定のハードウェア及びソフトウェアの組み合わせに限定されない。
【０１０２】
以上は本発明の好ましい実施例にすぎず、本発明を限定するものではなく、当業者にとっては、本発明は様々な変更及び変化を有してもよい。本発明の精神及び原則を逸脱しない範囲内でのいずれの変更、同等の代替、変形等は全て本発明の範囲に含まれる。
【産業上の利用可能性】
【０１０３】
以上のように、本発明の実施例に提供されたピクチャ処理方法、送信方法、処理装置及び送信装置によれば、従来技術に存在するピクチャ背景のランダム交換を実現できない問題を解決し、ピクチャ背景をランダムに交換する効果に達した。
【図１】
2018518086.tif 000003
【図２】
2018518086.tif 000004
【図３】
2018518086.tif 000005
【図４】
2018518086.tif 000006
【図５】
2018518086.tif 000007
【図６】
2018518086.tif 000008
【図７】
2018518086.tif 000009
【図８】
2018518086.tif 000010
【図９】
2018518086.tif 000011
【図１０】
2018518086.tif 000012
【図１１】
2018518086.tif 000013
【図１２】
2018518086.tif 000014
【図１３】
2018518086.tif 000015
【国際調査報告】
2018518086.tif 000016
2018518086.tif 000017
2018518086.tif 000018
2018518086.tif 000019
2018518086.tif 000020
2018518086.tif 000021